(57)【要約】      （修正有）【課題】入浴後における壁面の残留水滴拭き取り掃除が容易な浴室構造を提供する。【解決手段】壁パネル５には、掃除の容易性及び清潔性確保のため洗面台が取り付けられていない。収納棚２は箱形状に構成され、正面に開閉扉２ａが設けられている。内部には３段の棚部が設けられており、各段にバス用品等を収容可能に構成されている。各棚部には水の滞留を防止するための複数の水切り孔が設けられている。さらに、水切り孔周囲には排水促進のためのスリット溝が刻まれている。壁パネル５には鏡３を嵌め込み可能とする凹部が設けられており、鏡３固定状態で壁面と面一となるように構成されている。【選択図】図１
2014030534.tif 000002
【特許請求の範囲】
【請求項１】
壁面部の水滴拭き取り掃除を容易とする浴室構造であって、
洗い場正面側壁面に洗面台を備えることなく、鏡とバス用品収納棚とを備え、
該鏡は、壁面と面一に嵌めこまれ、
該バス用品収納棚は複数段の棚部を備え、
該棚部は、孔部と、滞留水を該孔部に導く溝部と、を備えた複数の水切り孔を備え、
て成ることを特徴とする浴室構造。
【請求項２】
浴槽の上縁部は、全周にわたり浴槽内側方向に向かって、残留水滴を流下させる傾斜を備えたことを特徴とする請求項1に記載の浴室構造。
【発明の詳細な説明】
【技術分野】
【０００１】
本発明は浴室構造に係り、特に壁面に付着する水滴拭き取り掃除が容易な浴室構造に関する。
【背景技術】
【０００２】
従来、浴室掃除の清潔化、容易化を目的として、上水又は上水に電解質を添加した溶液を電気分解して機能水を生成する浴室清掃装置が提案されている（例えば特許文献１）。かかる清掃装置により得られる機能水を用いて浴室の扉・床・排水口等を洗浄・殺菌することにより、浴室内のカビ・ヌメリの付着防止を可能としている。
しかしながら、文献１の浴室清掃装置は配管工事、電源工事等を伴うため設備が大がかりとなり、設置コスト高が問題となる。また、電力消費によるランニングコストも問題となる。
【０００３】
また、浴室壁面の清掃容易化、利便性向上が図れ、かつ、浴室美観を損ねることがない浴室構造として特許文献２の技術が提案されている。図８を参照して同文献による浴室構造１００は、浴室の洗い場壁面１０１、１０２に複数のフック１０３を埋め込み配列する。利用者はフック１０３の頭部を手前に引き出して、収納部材１０４や、手すり１０５、タオル掛け１０６、洗面台１０７  等を、所望の位置に取り付けることができ、かつ、位置を自在に変更することができる。フック１０３により壁面上に複数の微小凸部が形成されるものの、凹部が形成されないため壁面の清掃が容易であり、且つ浴室の美観を損ねることがない。
【先行技術文献】
【特許文献】
【０００４】
【特許文献１】特開２００１−２５４４５号公報
【特許文献２】特開２０１０−１１０４５７号公報
【発明の概要】
【発明が解決しようとする課題】
【０００５】
カビの発生を防ぎ浴室を清潔に保つためには、入浴直後にスクイジー等を用いて壁面の水滴除去を行うことが簡易かつ効果的である。
しかしながら、文献２による浴室構造は、壁面にフック取り付けによる複数の凸部が形成されるため、スクイジー等を用いた壁面拭き取り掃除には適さない。文献1の技術についても同様の問題がある。
【課題を解決するための手段】
【０００６】
本発明は上記課題を解決するためのものであって、以下の内容を要旨とする。すなわち、本発明に係る浴室構造は、
（１）壁面部の水滴拭き取り掃除を容易とする浴室構造であって、
洗い場正面側壁面に洗面台を備えることなく、鏡とバス用品収納棚とを備え、
該鏡は、壁面と面一に嵌めこまれ、
該バス用品収納棚は複数段の棚部を備え、
該棚部は、孔部と、滞留水を該孔部に導く溝部と、を備えた複数の水切り孔を備え、
て成ることを特徴とする。
【０００７】
（２）上記発明において、浴槽の上縁部は、全周にわたり浴槽内側方向に向かって、残留水滴を流下させる傾斜を備えたことを特徴とする。
【発明の効果】
【０００８】
本発明によれば、入浴後にスクイジー等を用いた壁面の水切りが容易にでき、その後の自然乾燥によりヌメリ、カビ発生を防止して、浴室内を清潔に保つことができる。
また、乾燥のための電力消費が不要となるため、省エネに資するという効果がある。
【０００９】
また、収納棚の棚部に複数の水切り孔を設けたため、棚部への水滞留を防止でき、収納棚を清潔に保つことができる。さらに滞留水を孔部に導くためのスリット溝を設けたため、さらに排水効果を高めるという効果がある。
【００１０】
また、鏡を壁面と面一に取り付けるように構成したため、スクイジー等を用いた壁面の水切りが容易にできるという効果がある。
【００１１】
また、浴槽上部周縁部を浴槽内部側に傾斜させる構造としたため、上部周縁部に水が滞留することを防止できるという効果がある。
【図面の簡単な説明】
【００１２】
【図１】本発明の一実施形態に係るユニットバス１の全体構成を示す図である。
【図２】壁パネル５に取り付けられる収納棚２の構成を示す図である。
【図３（ａ）】収納棚２の棚部２ｂの詳細構成を示す図（平面図）である。
【図３（ｂ）】図３（ａ）のＡ−Ａ’矢視図（断面図）である。
【図３（ｃ）】収納棚２の変化態様である収納棚２’の構成を示す図である。
【図３（ｄ）】収納棚２’の棚部２ｅの詳細構成を示す図である（（ａ）：平面図、（ｂ）：（ａ）のＢ−Ｂ’矢視図（断面図））。
【図４】収納棚２の変化態様である収納棚２０の構成を示す図である。
【図５】収納棚２の変化態様である収納棚３０の構成を示す図である。
【図６】壁パネル５に嵌め込まれる鏡３の設置状態を示す断面図である。
【図７】浴槽４の断面構成を示す図である。
【図８】従来の浴室構造１００を示す図である。
【発明を実施するための形態】
【００１３】
以下、本発明に係る浴室構造の一実施形態について、図１乃至７を参照してさらに詳細に説明する。なお、本発明の範囲は特許請求の範囲記載のものであって、以下の実施形態に限定されないことはいうまでもない。
【００１４】
図１を参照して、本実施形態に係るユニットバス１は、壁パネル５乃至７、天井パネル８等で囲まれた浴室右側に浴槽４が設置されており、その左側に洗い場９が形成されている。
【００１５】
洗い場９の正面壁パネル５にはバス用品を入れる収納棚２、鏡３、混合水栓１０及びシャワー１０ａが取付されている。壁パネル５には、掃除の容易性及び清潔性確保のため洗面台が取り付けられていない。収納棚２は、利用者が洗浄時に座った位置で必要な洗浄用品を取り出せる位置に設置されている。
【００１６】
図２を参照して、収納棚２は箱形状に構成され、正面に開閉扉２ａが設けられている。内部には３段の棚部２ｂが設けられており、各段に石鹸・シャンプー・リンス等のバス用品等を収容可能に構成されている。
図３（ａ）、３（ｂ）を参照して、各棚部２ｂには水の滞留を防止するための複数の水切り孔２ｃが設けられている。さらに、水切り孔２ｃ周囲には排水促進のためのスリット溝２ｄが刻まれている。
なお、図３（ｃ）、３（ｄ）に示すように、最下段の棚部２ｅに石鹸を入れるための窪み部２ｆと水切り孔２ｇを備えた収納棚２’のように構成してもよい。
【００１７】
図６を参照して、壁パネル５には鏡３を嵌め込み可能とする凹部が設けられており、鏡３固定状態で壁面と面一となるように構成されている。
【００１８】
図７を参照して、浴槽４の上端縁部４ｂは全周にわたり浴槽内側方向に向かって僅かな傾斜θが設けられており、入浴後又は掃除後に上端縁部４ｂに水が滞留しないように構成されている。
【００１９】
ユニットバス１は以上のように構成されており、次に、ユニットバス１における入浴後又は掃除後の水切りの一態様について説明する。
利用者は入浴後、シャワー１０ａにより壁パネル５乃至７に散水する。次いで、収納棚２の開閉扉２ａを開けた状態で散水して棚内部の清掃を行う。散布された水はスリット溝２ｄを伝って水切り孔２ｃから順次最下段まで流下し、棚部２ｂから箱外に排出される。
次いで、収納棚２の開閉扉２ａを閉めた状態で、スクイジー（図示せず）等を用いて壁パネル５乃至７の表面に付着している水滴を拭き取る。この場合、壁パネル５の突出部は収納棚２と水栓１０及びシャワー１０ａのみであるため、スクイジー作業が極めて容易である。壁面の水滴拭き取りにより浴室内の乾燥が促進され、カビ・ヌメリの発生を防止することができる。
【００２０】
また、入浴後に浴槽４の上端縁部４ｂ周囲に残った水滴は、傾斜があるため滞留することなく浴槽内部に流下し、排水口４ｃを介して浴室外に排出される。
【００２１】
なお、本実施形態では浴室としてユニットバスを用いた例を示したが、これに限らず在来工法による浴室に適用することもできる。
【００２２】
また、開閉扉２ａを備えた収納棚の例を示したが、図４に示すように開閉扉を備えることなく乾燥容易とするため、常時開放の収納棚としてもよい。
さらに、収納棚２０では外形を箱形状としたが、例えば図５に示すように四分円筒形状の収納棚３０のように構成することもできる。
【産業上の利用可能性】
【００２３】
本発明は、戸建、集合住宅等、建物形態を問わず、浴室一般の内部構造として広く適用可能である。
【符号の説明】
【００２４】
１・・・・ユニットバス
２、２０，３０・・・・バス用品収納棚
２ａ・・・開閉扉
２ｂ，２ｅ・・・棚部
２ｃ、２ｇ・・・水切り孔
２ｄ・・・スリット溝
３・・・・鏡
４・・・・浴槽
５〜７・・・・壁パネル
【図１】
2014030534.tif 000003
【図２】
2014030534.tif 000004
【図３（ａ）】
2014030534.tif 000005
【図３（ｂ）】
2014030534.tif 000006
【図３（ｃ）】
2014030534.tif 000007
【図３（ｄ）】
2014030534.tif 000008
【図４】
2014030534.tif 000009
【図５】
2014030534.tif 000010
【図６】
2014030534.tif 000011
【図７】
2014030534.tif 000012
【図８】
2014030534.tif 000013